(57)【要約】【課題】作業員が現場の設備に関する情報のみならず、関連する広範囲な電力系統に関する情報を的確に把握すること可能で、安全性および作業効率の向上を図ることができる電力系統監視制御装置及び方法並びに電力系統監視制御用プログラムを提供する。【解決手段】電力系統監視制御装置は、まず、大別して電力系統監視制御部１と、携帯端末２とから構成される。この電力系統監視制御部１は、電力系統に関する情報を格納するデータベース１０と、データベースを加工するデータベース加工手段１１と、電力系統の監視を行なう監視手段１２と、前記設備を制御する制御手段１４と、制御内容を入力する制御内容入力手段１５と、データベース１０から特定のキー情報に基づいてデータを取り込む情報検索抽出手段１６と、このキー情報を指定して情報検索を依頼するキー情報入力手段１７とを備える。情報検索抽出手段１６により取出されたデータは、携帯端末２に送信され、記憶されるように構成されている。【選択図】  図１
2004357369.tif 000002
【特許請求の範囲】
【請求項１】
電力系統を構成する設備に関する諸情報を格納するデータベースと、このデータベースを加工するデータベース加工手段と、前記設備の監視を行なう監視手段と、監視結果を表示する監視表示手段と、前記設備の制御を行なう制御手段とを有する電力系統監視制御部と、
前記電力系統監視制御部と交信すると共に、前記設備を遠隔制御する携帯端末とを備え、
前記電力系統監視制御部は、
前記制御手段に対して制御内容を入力する制御内容入力手段と、
前記データベースから特定のキー情報に基づいてデータの検索を行う情報検索抽出手段と、
前記キー情報を前記情報検索抽出手段に入力するキー情報入力手段とを備え、
前記携帯端末は、前記情報検索抽出手段により取出したデータを受信し、記憶する手段を備えることを特徴とする電力系統監視制御装置。
【請求項２】
前記携帯端末は、
前記情報検索抽出手段から送信される前記情報を受信し、格納する端末データベースと、
このデータベースを加工する端末データベース加工手段と、
前記端末データベースに格納された前記情報を前記データベース加工手段へ転送する端末データベース転送手段とを備えることを特徴とする請求項１記載の電力系統監視制御装置。
【請求項３】
前記電力系統監視制御部は、前記データベースに格納された前記情報を前記携帯端末に転送する転送手段を備え、
前記携帯端末は、前記端末転送手段から送られる前記情報を受信する端末受信手段と、その受信した前記情報に基づいての電力系統の監視を行う端末監視手段と、該監視結果を表示する端末表示手段とを備えることを特徴とする請求項１または２記載の電力系統監視制御装置。
【請求項４】
前記携帯端末は、前記端末データベースに格納された前記情報に基づいて、電力系統を構成する設備の制御を行う端末制御手段と、前記端末制御手段に対して制御内容を入力する端末制御内容入力手段と、前記端末制御手段によって、行った電力系統の制御に関する情報を前記電力系統監視制御部へ転送する制御情報端末転送手段とを備え、
前記電力系統監視制御部は、前記携帯端末から転送されたデータを受信する制御情報端末受信手段と、を備えることを特徴とする請求項１〜３のいずれか１項に記載の電力系統監視制御装置。
【請求項５】
前記電力系統監視制御部は、他の携帯端末により監視、制御、メンテナンスされている電力系統を構成する設備の情報を前記携帯端末へ転送するための他端末転送手段を備え、
前記携帯端末は、前記他の携帯端末に関する前記情報を受信する他端末受信手段と、該受信した情報を保存する他端末データベースと、前記他端末を監視する他端末監視手段と、前記他端末の実行結果を表示する他端末監視表示手段とを備えることを特徴とする請求項１〜４のいずれか１項に記載の電力系統監視制御装置。
【請求項６】
前記電力系統監視制御部は、前記データベースから特定のキー情報によって模擬試験用のデータを検索する模擬情報検索抽出手段と、この特定のキー情報を入力する模擬試験用キー情報入力手段とを備え、
前記携帯端末は、前記模擬情報検索抽出手段から送信される前記データを受信、格納する端末模擬データベースと、このデータベースを加工する端末模擬データベース加工手段と、前記端末模擬データベースに格納された情報から電力系統の模擬監視情報を作成する監視情報端末模擬受信手段と、前記監視情報端末模擬受信手段により作成された系統の監視を行う携帯端末模擬監視手段と、その模擬監視結果を表示する端末模擬端末監視表示手段と、携帯端末模擬データベースの模擬系統設備の制御を行う端末模擬制御手段と、この制御内容を入力する端末模擬制御内容入力手段と、端末模擬制御手段の情報を受け取り前記端末模擬データベースへ入力する制御情報携帯端末模擬転送手段とを備えることを特徴とする請求項１〜５のいずれか１項に記載の電力系統監視制御装置。
【請求項７】
請求項１乃至請求項６のいずれか１項に記載した電力系統監視制御装置において、
いずれかの機能を活殺する機能活殺手段を備えることを特徴とする電力系統監視制御装置。
【請求項８】
電力系統を構成する設備に関する諸情報を格納するデータベースと、このデータベースを加工するデータベース加工手段と、前記設備の監視を行なう監視手段と、監視結果を表示する監視表示手段と、前記設備の制御を行なう制御手段とを有する電力系統監視制御部と、
前記電力系統監視制御部と交信すると共に、前記設備を遠隔制御する携帯端末とを用いて、
前記電力系統監視制御部において前記制御手段に対して制御内容を入力し、前記データベースから特定のキー情報に基づいてデータの検索を行い、前記キー情報を前記情報検索抽出手段に入力し、
前記携帯端末において、前記情報検索抽出手段により取出したデータを受信し、記憶することを特徴とする電力系統監視制御方法。
【請求項９】
前記携帯端末において、前記情報検索抽出手段から送信される前記情報を受信し、格納し、この格納された情報を加工し、前記格納された情報を前記データベース加工手段へ転送することを特徴とする請求項８記載の電力系統監視制御方法。
【請求項１０】
前記電力系統監視制御部において、前記データベースに格納された前記情報を前記携帯端末に転送し、
前記携帯端末において、前記端末転送手段から送られる前記情報を受信し、その受信した前記情報に基づいての電力系統の監視を行い、該監視結果を表示することを特徴とする請求項８または９記載の電力系統監視制御方法。
【請求項１１】
前記携帯端末において、前記携帯端末に格納された前記情報に基づいて、電力系統を構成する設備の制御を行い、制御内容を入力し、前記電力系統の制御に関する情報を前記電力系統監視制御部へ転送し、
前記電力系統監視制御部において、前記携帯端末から転送されたデータを受信することを特徴とする請求項８〜１０のいずれか１項に記載の電力系統監視制御方法。
【請求項１２】
コンピュータを制御することによって、通信により与えられるオンラインデータに基づいて、対象とする電力系統を監視及び制御するための電力系統監視制御用プログラムにおいて、
前記プログラムは前記コンピュータに、
請求項１から７の電力系統監視制御装置及び請求項８から１１の電力系統監視制御方法のうちいずれか１つを実現させることを特徴とする電力系統監視制御用プログラム。
【発明の詳細な説明】
【０００１】
【発明の属する技術分野】
本発明は、電力系統の系統監視制御する技術の改良に関するもので、特に、装置を監視するオペレータと現場の作業員との情報の共有と操作の独立性を可能としたものである。
【０００２】
【従来の技術】
従来より、変電所の送配電設備などにおける電力系統を監視し、必要な制御を行うための技術として、電力系統監視制御装置が、例えば、以下に示すような特許文献において開示されている。
【０００３】
このような従来における電力系統監視制御装置の概略を、図７を用いて説明する。電力系統監視制御装置（以下、本装置ともいう）は、各種情報を格納するデータベース１０と、このデータベースを加工するデータベース加工手段１１とを備える。この情報としては、例えば、電力系統を構成する設備の情報、その設備の電気的なつながりを表す情報、および、その設備の現在状態を表す状態情報、さらには、これらの設備が配置されている地域の地理情報が含まれる。
【０００４】
本装置は、また電力系統を構成する設備の監視を行なう監視手段１２と、この監視結果を表示する表示手段１３とを備え、さらに電力系統を構成する設備の制御を行なう制御手段１４と、制御内容を入力する制御内容入力手段１５とを備えている。また、電力系統監視制御装置は、電力系統の運用、あるいは電力系統事故に伴う復旧操作のために、遮断器Ｙや開閉器Ｘなどの電力系統を構成する設備の状態情報を監視、制御する。
【０００５】
このような、電力系統を構成する各種設備には、遠方からの監視制御ができない設備、例えば開閉器Ｚも含まれている。したがって、当該設備の監視や制御は、現場に直接作業員を派遣して行なう必要がある。しかしながら、このような電力系統に対する作業は、関連する広範囲な電力系統の最新状態を把握していないと、誤操作や系統事故の拡大、あるいは、感電などの人身事故を招く恐れがある。そこで、現場の作業員は、自らの判断のみで作業を進めることはせず、本装置によって監視される電力系統全体の最新状態を把握できるオペレータと頻繁な情報授受を行いながら作業を進行する。
【０００６】
【特許文献１】
特開２００１−２３８３７０号公報
【０００７】
【発明が解決しようとする課題】
ところで、現場の作業員が、装置の監視制御外である遠隔地等において、ある特定の電力系統のみに関する情報の確認を緊急に必要とする場合、すなわち電力系統全体の把握というよりも、電気所単位、自治体単位あるいは特定の電気所間といった、限られた範囲の情報のみを必要とする場合がある。この場合、作業員は、電力系統監視制御装置を監視するオペレータと交信してその必要とする情報を取得する必要があるが、従来の電力系統監視制御装置における上記両者間の交信は、無線等を用いた音声のみによるもので行うよりなかった。そのため、必要な情報の取得や運転状況の確認には、非常に手間がかかると共に、現場の作業員が関連する特定の電力系統に関する最新情報を的確に把握するのは困難であった。
【０００８】
また、現場での作業が複数の箇所において複数実施されるような場合、電力系統監視制御装置を監視するオペレータは、複数の作業員と同時並行的にそれぞれ情報の授受を行わなければならず、オペレータに対する作業負荷が高かった。さらに、本来、現場の作業員のみで作業を行えば複数並行して実施できる作業が、逐一オペレータを介すためオペレータによる指示待ち時間等が生じ、全体として作業時間が増加していた。そして、このような作業時間の拡大は、例えば、本来ある程度の冗長性をもって運転される電力系統がこのような作業により冗長性を失った場合には、重大事故に繋がる可能性があった。
【０００９】
また、従来の装置では、ある特定の電力系統情報の追加、削除、及び変更等の作業は現場の作業員が行うのではなく、作業員が電力系統監視制御装置のオペレータに連絡することにより、オペレータが行わなければならなかった。さらに、オペレータは、その加工内容が影響する範囲を抽出することができないため、全情報のアクセスを一時的に中止し、加工内容を反映しなければならなかった。したがって、すべての作業が完了するまで非常に時間がかかっていた。
【００１０】
その上、前述のように平常時は、変電所、電気所の監視を、遠方監視制御機能によって電力系統監視制御装置にいるオペレータが行っているが、故障発生等によりオペレータによる遠方監視制御が不能となった場合、現場の作業員が直接現場で監視を行う必要がある。現場にて当該設備の監視をするには、上述のように関連する広範囲な電力系統に関する最新情報のうち、特に、その現場に電気的に隣接する現場（変電所、電気所等）の設備情報を的確に把握する必要がある。
【００１１】
しかしながら、現場では隣接する現場の情報を直接的に把握する手段は設けられていないため、作業員は、電力系統監視制御装置のオペレータに連絡し、音声のみによる通信手段により情報を把握する必要があるが、上記同様、このような手段では、正確な情報を迅速、的確に把握するのは困難であった。
【００１２】
本発明は上記のような従来技術の問題点を解決するために提案されたものであり、その目的は、装置を監視するオペレータと現場の作業員との情報の共有が可能であると共に、作業員が現場の設備に関する情報のみならず、関連する広範囲な電力系統に関する情報を的確に把握することが可能で、安全性および作業効率の向上を図ることができる電力系統監視制御装置及び方法並びに電力系統監視制御用プログラムを提供することにある。
【００１３】
【課題を解決するための手段】
上記の目的を達成するため、請求項１記載の電力系統監視制御装置は、電力系統を構成する設備に関する諸情報を格納するデータベースと、このデータベースを加工するデータベース加工手段と、前記設備の監視を行なう監視手段と、監視結果を表示する監視表示手段と、前記設備の制御を行なう制御手段とを有する電力系統監視制御部と、前記電力系統監視制御部と交信すると共に、前記設備を遠隔制御する携帯端末とを備え、前記電力系統監視制御部は、前記制御手段に対して制御内容を入力する制御内容入力手段と、前記データベースから特定のキー情報に基づいてデータの検索を行う情報検索抽出手段と、前記キー情報を前記情報検索抽出手段に入力するキー情報入力手段とを備え、前記携帯端末は、前記情報検索抽出手段により取出したデータを受信し、記憶する手段を備えることを特徴とする。
【００１４】
請求項８に記載の発明は、請求項１記載の発明を方法の観点から捉えたものであり、電力系統を構成する設備に関する諸情報を格納するデータベースと、このデータベースを加工するデータベース加工手段と、前記設備の監視を行なう監視手段と、監視結果を表示する監視表示手段と、前記設備の制御を行なう制御手段とを有する電力系統監視制御部と、前記電力系統監視制御部と交信すると共に、前記設備を遠隔制御する携帯端末とを用いて、前記電力系統監視制御部において前記制御手段に対して制御内容を入力し、前記データベースから特定のキー情報に基づいてデータの検索を行い、前記キー情報を前記情報検索抽出手段に入力し、前記携帯端末において前記情報検索抽出手段により取出したデータを受信し、記憶することを特徴とする。
【００１５】
以上のような請求項１および８記載の発明では、従来の電力監視制御装置に、電力系統設備の運用のために行なう操作の内容、操作対象設備または操作対象設備が配置された地域を入力するキー情報入力手段と、入力内容に基づいて必要となる情報を検索して抽出する情報検索抽出手段とを備えた電力系統監視制御部と、情報検索抽出手段によって抽出された情報を保存することが可能な携帯端末を付加した。
【００１６】
これにより、電力系統を構成する設備や地域を特定できる設備の名称など、キーとなる情報をキー情報入力手段に与えると、情報検索抽出手段はこのキーに関連する情報のみをデータベースから抽出し、携帯端末に保存することが可能となる。また、電力系統は、時々刻々と変化するため、関連する情報の範囲も時々刻々と変化するが、この変化に合わせて関連する情報のみを抽出できるため、複数の携帯端末にて、それぞれ作業員の目的に応じた電力系統の運用が可能になる。
【００１７】
請求項２記載の発明は、請求項１の電力系統監視制御装置において、前記携帯端末は、前記情報検索抽出手段から送信される前記情報を受信し、格納する端末データベースと、このデータベースを加工する端末データベース加工手段と、前記端末データベースに格納された前記情報を前記データベース加工手段へ転送する端末データベース転送手段とを備えることを特徴とする。
【００１８】
請求項９に記載の発明は、請求項２記載の発明を方法の観点から捉えたものであり、請求項８記載の発明において、前記携帯端末において、前記情報検索抽出手段から送信される前記情報を受信し、格納し、この格納された情報を加工し、前記格納された情報を前記データベース加工手段へ転送することを特徴とする。
【００１９】
以上のような請求項２および９記載の発明では、請求項１記載の発明に、電力系統監視制御部のデータベースから抽出した情報を携帯端末上で加工し、再度、その情報を抽出元のデータベースへ保存できる情報加工手段を設けた。これにより、作業員は自己の携行する携帯端末を用いて電力系統情報の把握ができると共に、電力系統情報の追加、削除、及び変更等の作業も、逐一電力系統監視制御部を監視するのオペレータに連絡する必要なく、携帯端末の操作によって行うことが可能である。
【００２０】
請求項３記載の発明は、請求項１または２記載の電力系統監視制御装置において、前記電力系統監視制御部は、前記データベースに格納された前記情報を前記携帯端末に転送する転送手段を備え、前記携帯端末は、前記端末転送手段から送られる前記情報を受信する端末受信手段と、その受信した前記情報に基づいての電力系統の監視を行う端末監視手段と、該監視結果を表示する端末表示手段とを備えることを特徴とする。
【００２１】
請求項１０に記載の発明は、請求項３記載の発明を方法の観点から捉えたものであり、請求項８または９記載の発明において、前記電力系統監視制御部において、前記データベースに格納された前記情報を前記携帯端末に転送し、前記携帯端末において、前記端末転送手段から送られる前記情報を受信し、その受信した前記情報に基づいての電力系統の監視を行い、該監視結果を表示することを特徴とする。
【００２２】
以上のような請求項３および１０記載の発明では、請求項１において、携帯端末から電力系統の監視ができる監視手段を設けたことにより、携帯端末を携行していれば、どこででも電力系統を監視することができるため、自己の直接的に監視している電力系統のみならず、関連する広範囲な電力系統に関する情報のうち、特に、その現場に電気的に隣接する現場（変電所、電気所等）の設備情報を的確に把握することが可能である。
【００２３】
請求項４記載の発明は、請求項１〜３のいずれか１項に記載の電力系統監視制御装置において、前記携帯端末は、前記端末データベースに格納された前記情報に基づいて、電力系統を構成する設備の制御を行う端末制御手段と、前記端末制御手段に対して制御内容を入力する端末制御内容入力手段と、前記端末制御手段によって、行った電力系統の制御に関する情報を前記電力系統監視制御部へ転送する制御情報端末転送手段とを備え、前記電力系統監視制御部は、前記携帯端末から転送されたデータを受信する制御情報端末受信手段と、を備えることを特徴とする。
【００２４】
請求項１１に記載の発明は、請求項４記載の発明を方法の観点から捉えたものであり、請求項８〜１０のいずれか１項に記載の発明において、前記携帯端末に格納された前記情報に基づいて、電力系統を構成する設備の制御を行い、制御内容を入力し、前記電力系統の制御に関する情報を前記電力系統監視制御部へ転送し、前記電力系統監視制御部において、前記携帯端末から転送されたデータを受信することを特徴とする。
【００２５】
以上のような請求項４および１１記載の発明では、請求項１において、携帯端末から電力系統の制御ができる制御手段を設けたことにより、オペレータを介さず携帯端末を通して直接的に電力系統を制御することができるため、作業員は、迅速かつ的確な作業を行うことが可能である。
【００２６】
請求項５記載の発明は、請求項１〜４のいずれか１項に記載の電力系統監視制御装置において、前記電力系統監視制御部は、他の携帯端末により監視、制御、メンテナンスされている電力系統を構成する設備の情報を前記携帯端末へ転送するための他端末転送手段を備え、前記携帯端末は、前記他の携帯端末に関する前記情報を受信する他端末受信手段と、該受信した情報を保存する他端末データベースと、前記他端末を監視する他端末監視手段と、前記他端末の実行結果を表示する他端末監視表示手段とを備えることを特徴とする。
【００２７】
以上のような請求項５記載の発明では、請求項１〜４において、携帯端末が複数存在する場合、携帯端末が相互に情報の授受ができる相互情報授受手段を設けたことより、複数の携帯端末にて請求項１〜請求項４による発明の機能を使用するとき、すなわち、自己が直接担当している以外の電力系統の監視制御を行う場合、電気的に隣接している現場でそれぞれ別の現場の作業員が携帯端末で作業を行うことにより、現場間の電気系統に矛盾が生じることが想定されるが、本発明においては、複数の携帯端末相互の操作状況が確認でき、さらに、従来のように電話等により連絡をとりながら作業を行う必要がないため、誤操作、重複制御などを防止することができると共に、作業時間の短縮を図ることができる。
【００２８】
請求項６記載の発明は、請求項１〜５のいずれか１項に記載の電力系統監視制御装置において、前記電力系統監視制御部は、前記データベースから特定のキー情報によって模擬試験用のデータを検索する模擬情報検索抽出手段と、この特定のキー情報を入力する模擬試験用キー情報入力手段とを備え、前記携帯端末は、前記模擬情報検索抽出手段から送信される前記データを受信、格納する端末模擬データベースと、このデータベースを加工する端末模擬データベース加工手段と、前記端末模擬データベースに格納された情報から電力系統の模擬監視情報を作成する監視情報端末模擬受信手段と、前記監視情報端末模擬受信手段により作成された系統の監視を行う携帯端末模擬監視手段と、その模擬監視結果を表示する端末模擬端末監視表示手段と、携帯端末模擬データベースの模擬系統設備の制御を行う端末模擬制御手段と、この制御内容を入力する端末模擬制御内容入力手段と、端末模擬制御手段の情報を受け取り前記端末模擬データベースへ入力する制御情報携帯端末模擬転送手段とを備えることを特徴とする。
【００２９】
以上のような請求項６記載の発明では、請求項１〜請求項５に記載の電力系統監視制御装置において、その機能を模擬できる機能を設けたことにより、携帯端末を用いて、電力系統の運用訓練を行うことができるようになる。
【００３０】
請求項７記載の発明は、請求項１乃至請求項６のいずれか１項に記載した電力系統監視制御装置において、前記いずれかの機能を活殺する機能活殺手段を備えることを特徴とする。以上のような請求項７記載の発明では、請求項１〜請求項５において、前記手段のうち、いずれかの手段を予めあるいは必要に応じて活殺する手段を備えることによって、操作目的あるいはデータベースの種類に従い、前記各手段を起動することができるようになる。したがって、電力系統監視制御装置の操作目的を、状況または必要に応じて変更することが可能となる。
【００３１】
請求項１２に記載の電力系統監視制御用プログラムは、請求項１から１１に記載の発明を、コンピュータを制御することによって、通信により与えられるオンラインデータに基づいて、対象とする電力系統を監視及び制御するための電力系統監視制御用プログラムにおいて、前記プログラムは前記コンピュータに、請求項１から７の電力系統監視制御装置及び請求項８から１１の電力系統監視制御方法のうちいずれか１つを実現させることを特徴とする。以上のような、請求項１２記載の発明では、コンピュータにおいてこのプログラムを実行したりインストールすることにより、本発明の実施が容易となる。
【００３２】
【発明の実施の形態】
以下、本発明の一実施態様を具体的に説明する。なお、本実施形態において、データベースとは、電力系統監視制御装置に表示する開閉器、遮断器等の実データを保存するテーブルのことをいい、端末データベースとは、端末に表示する開閉器、遮断器等の実データを保存するテーブルのことをいう。
【００３３】
〔１．第１の実施の形態〕
まず、本発明第１の実施形態について説明する。本実施形態は本発明請求項１〜請求項４及び請求項８〜１１に相当する実施例である。なお、上記従来技術と同様の名称からなる構成に関しては同様の符号を付す。
【００３４】
〔１−１．電力系統監視制御装置〕
〔１−１−１．電力系統監視制御装置の基本的構成〕
図１は、本実施形態の全体構成を示すブロック図である。図１に示すように、電力系統監視制御装置（以下、本装置ともいう）は、まず、大別して電力系統監視制御部１と、携帯端末２とから構成される。この電力系統監視制御部１は、各種情報を格納するデータベース１０と、このデータベースを加工するデータベース加工手段１１とを備える。この情報には、例えば、電力系統を構成する設備の情報、その設備の電気的なつながりを表す情報、および、その設備の現在状態を表す状態情報、さらには、これらの設備が配置されている地域の地理情報が含まれる。
【００３５】
上記データベース１０は、具体的には図３に示すような構成からなる。すなわち、データベース１０内には、設備データベース１０ａと地図データベース１０ｂが備えられており、この設備データベース１０ａは、各設備１〜ｎに、営業所グレープ、支店グループ、電気所グループ、特定指定グループ、地域データ、設備の種類、取り込み目的、現在の状態、使用端末インデックスＮｏ．、設備インデックスＮｏ．、活殺有無フラグの各情報が格納されている。一方、地図データベース１０ｂには、各設備１〜ｎに、設備インデックスＮｏ．１〜ｍに関する情報を記憶し、さらにそれぞれの設備インデックスごとの位置座標データを記憶している。ここで、上記取り込み目的には、監視、故障復旧、系統変更、停電作業等の制御作業、メンテナンス、故障復旧、系統変更、停電作業等の模擬制御作業等が含まれる。
【００３６】
電力系統監視制御部１は、また、電力系統を構成する設備、すなわち開閉器Ｘや遮断器Ｙ等の監視を行なう監視手段１２と、その監視結果をディスプレイ等に表示する表示手段１３とを備え、さらに、開閉器Ｘや遮断器Ｙ等の開閉動作を制御する制御手段１４と、制御手段１４に対して開閉器Ｘ等の制御内容を入力する制御内容入力手段１５とを備える。
【００３７】
また、電力系統監視制御部１は、データベース１０から特定のキー情報に基づいてデータを取り込む情報検索抽出手段１６と、この情報検索抽出手段１６に対して特定のキー情報を指定して情報検索を依頼するキー情報入力手段１７とを備える。そして、この情報検索抽出手段１６により取出したデータは、携帯端末２に送信され、携帯端末２において記憶されるように構成されている。
【００３８】
ここで、上記キー情報入力手段１７は、上記データベース１０の構成において示した、営業所グループ、支店グループ、電気所グループ、特定指定グループのいずれか、あるいは設備インデックスＮｏ．及び取り込みの目的等の電気系統に関する各まとまりを一つのキーとして指定することができる手段であり、オペレータはインタフェースを通じて、その作業員の求める情報をキー情報として指定するように構成されている。
【００３９】
〔１−１―２．電力系統監視制御装置の基本的作用〕
上述のように、遠方からの監視制御ができない設備、例えば開閉器Ｚに対して作業員が派遣された場合、その作業員は、作業に際してこの開閉器Ｚを含む関連する広範囲な電力系統の最新状態を常に把握して作業に当たらなければならない。そこで、オペレータは、この作業員に対して、現地にて必要とする系統設備情報を送信するわけであるが、具体的には以下のような作用するものである。
【００４０】
すなわち、オペレータは、作業員の有する携帯端末２に対して、電力系統監視制御部１のキー情報入力手段１７により、その作業員の必要とする情報のグループ、例えば、設備の名称など地域を特定できる情報をキーとして指定する。キー情報入力手段１７は、指定された情報の検索を、情報検索抽出手段１６に依頼する。情報検索抽出手段１６では、データベース１０から抽出すべき情報を検索し、その検索内容を携帯端末２の端末データベース２０へ保存する。
【００４１】
ここで、この情報検索抽出手段１６の情報検索の流れについて、図３のフローチャートを用いて説明する。情報検索抽出手段１６は、まずキー情報入力手段１７により特定されたの設備の情報をデータベース１０から抽出し（ステップ２０１）、データベース１０上の全データについて、キー情報に該当するデータが存在するか否かを検索する（ステップ２０２）。そして、キー情報に該当する設備については、その設備に関する情報をデータベース１０内に備えられた設備データベース１０ａ及び地図データベース１０ｂにより自動抽出し（ステップ２０２のＹＥＳの処理）、端末データベース２０へ保存し（ステップ２０３）、処理を終了する。該当しない場合には、ステップ２０１以下の処理を繰り返す（ステップ２０２のＮＯの処理）。以上のような作用により、現場の作業員に対して必要な情報が送信されることとなる。
【００４２】
〔１−１―３．電力系統監視制御装置の基本的効果〕
以上のように、オペレータが電力系統監視制御部１のインタフェースを通じて、設備の名称など地域を特定できる情報をキーとしてキー情報入力手段１７に与えると、情報検索抽出手段１６は、このキーに関連する情報のみをデータベース１０から抽出し、携帯端末２に保存することができる。これにより、現場の作業員は自身が必要とする系統情報を現場でリアルタイムに確認することができるため、迅速な作業及び判断を行うことが可能になる。
【００４３】
さらに、電力系統の変化とそれに伴う関連する情報の範囲の変化に合わせて、オペレータは関連する情報のみを抽出し、それぞれの作業員の携帯端末２に送信できるため、各作業員が自身の目的に応じて同時平行的に作業を遂行することが可能となるので、効率的な電力系統運用が可能になる。
【００４４】
〔１−２．携帯端末〕
〔１−２−１．携帯端末の基本的構成〕
携帯端末２は、基本的には、メンテナンス時に電力系統監視制御部１の情報検索抽出手段１６によってデータベース１０ａから取り込まれた取り込み目的指定を格納する。ここで、データベース１０ａには、各メンテナンス内容に応じて必要とされる設備データ範囲が予め格納されている。そして携帯端末２はメンテナンスを行おうとする設備データ範囲を当該データベース１０ａより取り込み、取り込んだ設備データ範囲を参照して携帯端末２上でメンテナンス作業を行う。例えば、配電線単位、営業所単位などメンテナンス対象に応じた設備データ範囲が予めデータベース１０ａに設定されている。これら予め決定された範囲を取り込み目的指定と称している。
【００４５】
端末データベース２０と、このデータベースを修正、加工する端末データベース加工手段２１と、端末データベース２０の内容を電力系統監視制御部１へ転送する端末データベース転送手段２２とを備える。この端末データベース転送手段２２は、具体的には、端末データベース２０の内容をデータベース１０に反映させるために、そのデータベースの加工・修正を行う端末データベース加工手段２１へ転送する手段である。
【００４６】
〔１−２−２．携帯端末の基本的作用〕
以上のような構成からなる携帯端末２の作用は、以下の通りである。すなわち、作業員は、現場において携帯端末２を用いて、オペレータを介さず直接的にデータベース１０に情報の追加、内容の変更を行うのである。具体的には、作業員が携帯端末２の図示しないインタフェースを通じて、追加あるいは変更すべき設備データを指定すると、端末データベース加工手段２１は端末データベース２０に指定された設備の地理上の位置を特定するための情報である座標を入力する。なお、本実施形態では設備の特定をその座標によって行っているが、この座標は、上記第１の実施形態における設備データベース２１ａの営業所グループ、支店グループ、電気所グループ、特定指定グループ、地域データ、設備の種類、設備インデックスＮｏ．及び地域データベース２１ｂに備えられたデータに基づいて指定される。
【００４７】
次に、端末データベース加工手段２１は、この設備データに対して、作業員より指定された新たなデータに加工・変更を行う。そして、この端末データベース加工手段２１により、追加、変更された端末データベース２０の変更情報は、端末データベース転送手段２２から電力系統監視制御部１のデータベース加工手段１１へ転送され、このデータベース加工手段１１がデータベース１０へ変更情報の追加あるいは変更を行う。
【００４８】
〔１−２−３．携帯端末の基本的効果〕
以上示したように、現場の作業員が、携帯端末２に自己の必要とする情報を入力し、それを電力系統監視制御部１のデータベース１０に取り込むことができるので、現場での緊急作業等の状況において、装置の監視を行うオペレータを介することなく、作業員が直接的にデータベース１０の情報を追加、変更することが可能となる。また、情報検索抽出手段１６によりその取り込んだ地域以外の領域の作業及び制御に影響を受けることのない範囲で取り込むことができるので、複数の携帯端末で、同時にデータベースを追加、変更することができる。
【００４９】
〔１−３．携帯端末の監視手段〕
〔１−３−１．携帯端末監視手段の構成〕
次に、携帯端末２において電力系統の監視を行う携帯端末監視手段について説明する。電力系統監視制御部１は、上記構成に加えさらに、監視手段１２からの情報に基づき更新されるデータベース１０の情報を携帯端末２に定周期で転送するための監視情報転送手段１８を有する。携帯端末２もまた上記構成に加え、情報検索抽出手段１６から設備データが送信され蓄積された端末データベース２０のオンライン状態を電力系統監視制御部１より受信する監視情報端末受信手段２３と、その取り込んだ電力系統を構成する設備の監視を行う端末監視手段２４及び監視結果を表示する端末監視表示手段２５とを有する。
【００５０】
〔１−３−２．携帯端末監視手段の作用〕
以上のように構成される携帯端末２における監視手段の作用は以下の通りである。現場の作業員は、現場にて当該設備の監視をするには、上述のように関連する広範囲な電力系統に関する最新情報のうち、特に、その現場に電気的に隣接する現場（変電所、電気所等）の設備情報を的確に把握する必要がある。そこで、本実施形態においては、作業員は、端末監視手段２４を用いて、情報検索抽出手段１６から送信され、携帯端末２へ取り込んだ端末データベース２０の系統設備の監視するのである。
【００５１】
具体的には、現場の作業員の操作により、端末監視手段２４は、監視情報端末受信手段２３を起動させ、電力系統監視制御部１からの電力系統に関する最新情報のうち、特に、その現場に電気的に隣接する現場の設備情報の受信を依頼する。次に、この監視情報端末受信手段２３は、監視情報転送手段１８により定周期で転送される監視データのうち作業員が必要とする情報を抽出し、定周期で端末データベース２０へ書き込む。端末監視表示手段２５は、端末データベース２０の状態を携帯端末２に画面表示等を行う。
【００５２】
〔１−３−３．携帯端末の監視手段の効果〕
以上のように、電力系統監視制御部１の監視情報転送手段１８から携帯端末２の監視情報端末受信手段２３に現場に電気的に隣接する現場の設備情報が定周期で送信され、端末監視手段２４を介して端末監視表示手段２５へ当該情報を表示することができる。したがって、作業員は、現場において逐一オペレータと交信することなく、どこであっても携帯端末２を介して電力系統を監視することができる。また、故障発生等により、電気所、営業所の電力系統監視制御部１による電力系統の遠方監視制御が不能となった場合であっても、携帯端末２によって電力系統の監視を行うことが可能である。
【００５３】
〔１−４．携帯端末の制御手段〕
〔１−４−１．携帯端末の制御手段の構成〕
次に、携帯端末２において電力系統の制御を行う携帯端末制御手段について説明する。携帯端末２は、上記構成に加えさらに、端末データベース２０内に記憶された電力系統を構成する設備に関する制御を行う端末制御手段２７と、制御内容を入力する端末制御内容入力手段２８と、携帯端末内で行った制御情報を電力系統監視制御部１へ転送する制御情報端末転送手段２６とを有する。電力系統監視制御部１は、携帯端末２より転送されたデータを受信する監視情報端末受信手段２３を有する。
【００５４】
〔１−４−２．携帯端末の制御手段の作用〕
以上のように構成される携帯端末２における制御手段の作用は以下の通りである。情報検索抽出手段１６から携帯端末２へ取り込んだ端末データベース２０の系統設備である開閉器Ｘや遮断器Ｙを現地において制御する場合、現場の作業員は端末制御内容入力手段２８を用いて行う。具体的には、作業員はまず、端末装置のインタフェースから端末制御内容入力手段２８を操作することによって、端末制御手段２７を起動させ、制御する設備の情報や制御内容を指定する。次に、この端末制御手段２７が、制御情報端末転送手段２６を起動し、制御する設備の情報や制御内容を制御情報として電力系統監視制御部１の制御情報受信手段１９へ転送する。
【００５５】
監視情報端末受信手段２３は、制御情報端末転送手段２６より転送される制御情報を、受け取り、制御手段１４を起動して電力系統の制御を行う。そして、制御結果は、図５の監視情報転送手段１８、監視情報端末受信手段２３により端末データベースに反映される。
【００５６】
〔１−４−３．携帯端末の制御手段の効果〕
以上のように、携帯端末２から電力系統の制御を行うことができる端末制御手段２７等を設けたことにより、作業員が携帯端末２を携行していれば、携帯端末により電力系統の制御が可能になる。したがって、現場に隣接する電力系統の情報を直接的に把握することのできる上記端末監視手段２４と合わせて、作業員は、逐一オペレータと交信をとることなく、隣接する電力系統設備の制御も行うことでき、安全かつ迅速な作業を行うことが可能になる。
【００５７】
〔２．第２の実施の形態〕
第２の実施形態は、本発明請求項５に相当する実施例であり、上記第１の実施形態ににおける携帯端末２に、他の携帯端末３（以下、他携帯端末３という）との相互連絡手段を設けたものである。なお、本実施形態において、上記第１の実施形態と同様の構成に関しては、同様の符号を付し、その説明を省略する。また、第１の実施形態の構成のうち、本実施形態に直接関連性のない構成に関しては、図面において便宜上省略して示す。
【００５８】
〔２―１．第２の実施の形態の構成〕
図４は、本実施形態の全体構成を示すブロック図である。同図に示すとおり、電力系統監視制御部１は、他の携帯端末３が上記第１の実施形態の携帯端末２と同様に電力系統の監視、制御、メンテナンスしている情報を、データベース１０から抽出し、携帯端末２へ転送するための他端末転送手段３１を有する。
【００５９】
携帯端末２は、この他携帯端末３の電力系統に関する情報を受信する他端末情報受信手段３２と、その受信した情報を保存する他端末情報データベース３３とを備える。また、携帯端末２は、このデータベース３３に記憶された情報に基づき他端末の監視を行う他端末監視手段３４と、その監視情報を作業員に対して表示する端末監視表示手段２５とを有する。
【００６０】
〔２―２．第２の実施の形態の作用〕
以上のような構成を有する本実施形態の作用は以下の通りである。すなわち、現場の作業員が、自己の監視等を行う電力系統に隣接する等、作業を遂行するにあたり関連性のある電力系統を監視、制御、メンテナンスする他携帯端末３の作業状況を把握したい場合に、作業員は、携帯端末２に設けられた他端末監視手段３４を用いる。具体的には、作業員が図示しないインタフェースを通じて、他端末監視手段３４により他端末情報受信手段３２を起動させる。
【００６１】
他端末情報受信手段３２は、電力系統監視制御部１に設けられた他端末転送手段３１により定周期で転送される監視データを受信し、定周期で他端末情報データベース３３へ書き込む。この他端末情報データベース３３の情報を他端末監視手段３４が読み出し、その結果を端末監視表示手段２５へ他端末情報を表示する。
【００６２】
〔２―３．第２の実施の形態の効果〕
以上のように本実施の形態によれば、現場の作業員は、自己の携行する携帯端末２を用いることにより他携帯端末３の作業状況を認識することが可能になる。したがって、現場に隣接する電力系統に対する監視、制御、メンテナンスの情報を直接的に把握することのできるため、安全かつ迅速な作業を行うことが可能になる。
【００６３】
〔３．第３の実施の形態〕
第３の実施形態は、上記各実施形態に加え電気系統の運用訓練を行う場合における構成について例示したものであり、本発明請求項６に相当する実施例である。なお、本実施形態において、上記第１の実施形態と同様の構成に関しては、同様の符号を付し、その説明を省略する。
【００６４】
〔３―１．第３の実施の形態の構成〕
図５は、本実施形態の全体構成を示すブロック図である。電力系統監視制御装置の電力系統監視制御部１は、上記実施形態における各手段に加え、データベース１０から、ある特定のキー情報によって模擬試験用のデータを取り込む模擬情報検索抽出手段５０とこの特定のキー情報を入力する模擬試験用キー情報入力手段５１とを有する。
【００６５】
携帯端末２は、模擬情報検索抽出手段５０によって取り込まれた端末模擬データベース５２と、このデータベースを加工する端末模擬データベース加工手段５３とを有する。携帯端末２は、また、この端末模擬データベース５２に模擬監視情報を設定する監視情報端末模擬受信手段５４と、監視情報端末模擬受信手段５４により模擬された系統の監視を行う端末模擬監視手段５５と、この模擬監視結果を表示する端末模擬表示手段５６とを有する。
【００６６】
さらに、携帯端末２は、端末模擬データベース５２の模擬系統設備の制御を行う端末模擬制御手段５８と、この制御内容を入力する端末模擬制御内容入力手段５９と、端末模擬制御手段５８の情報を受け取り、端末模擬データベース５２へ模擬制御を行う制御情報端末模擬転送手段５７とを有する。
【００６７】
〔３―２．第３の実施の形態の作用〕
現在運用中の電力系統設備を模擬試験用として、携帯端末２で監視できるようにする場合、電力系統監視制御部１を監視するオペレータは、模擬試験用キー情報入力手段５１にその携帯端末２で監視する電力系統に関するキー情報を入力する。次に、模擬試験用キー情報入力手段５１は、このオペレータによって指定されたキー情報を模擬情報検索抽出手段５０に送信する。この模擬情報検索抽出手段５０は、上記キー情報に基づいてデータベース１０から必要な情報を抽出し、携帯端末２の端末模擬データベース５２に転送する。
【００６８】
次に、現場の作業員が模擬監視を行う場合には、作業員は上記のようにして携帯端末２に取り込んだ端末模擬データベース５２を用いて、端末模擬監視手段５５を使用する。端末模擬監視手段５５は、作業員の操作に従い、監視情報端末模擬受信手段５４を起動する。この監視情報端末模擬受信手段５４は、模擬監視情報を端末模擬データベース５２に送信すると共に、この監視状態を端末模擬表示手段５６に表示する。
【００６９】
また、作業員がこの端末模擬データベース５２を用いて、模擬制御を行う場合には、作業員はまず端末模擬制御内容入力手段５９に制御内容を入力することにより模擬制御要求を行う。次に、端末模擬制御内容入力手段５９は、端末模擬制御手段５８に対し、この模擬制御要求を送信する。この端末模擬制御手段５８は、この模擬制御情報を制御情報端末模擬転送手段５７に送り、これにより、端末模擬データベース５２にこの情報が入力される。
【００７０】
さらに、作業員が、端末模擬データベース５２に新しい設備、電気所等を追加したい場合には、端末模擬データベース加工手段５３を用いる。すなわち、端末模擬データベース加工手段５３を介して、端末模擬データベース５２に新たに加えたい設備や電気所等の情報を入力することができる。
【００７１】
〔３―３．第３の実施の形態の効果〕
以上のように本実施の形態によれば、携帯端末２を用いて、現在運用中の系統設備の情報を利用し、電力系統の模擬制御、模擬監視、データベースの追加による模擬制御、模擬監視ができるようになる。これにより、電力系統を緊急に操作する場合やデータベースの追加する場合において事前確認が必要な場合であっても、作業員が携行する携帯端末２を用いて、その場で事前確認等の操作を行うことが可能になるので、安全かつ迅速な作業判断を行うことができるようになる。
【００７２】
〔４．他の実施の形態〕
本発明は、上記のような実施の形態に限定されるものではなく、例えば、次のような実施の形態も含む。すなわち、本発明請求項７に相当する実施形態として、図６のブロック図に示すように、上記各実施形態における電力系統監視制御装置の機能を必要に応じて活殺することのできる機能活殺手段６０を設けることも可能である。
【００７３】
この機能活殺手段６０は、電力系統監視制御部１において、予めあるいはオペレータの指示により、上記各実施形態の任意の機能を活殺する。電力系統監視制御部１は、機能活殺手段６０によって、操作目的あるいはデータベースの種類に従い、上述した各実施形態における該当手段を起動する。
【００７４】
以上のように電力系統監視制御部１に機能活殺手段６０設けることによって、上記各実施形態において述べた手段を、予めあるいは必要に応じて活殺することが可能となるので、操作目的を状況または必要に応じて変更することができる。
【００７５】
【発明の効果】
以上説明したように、本発明によれば、装置を監視するオペレータと現場の作業員との情報の共有が可能であると共に、作業員が現場の設備に関する情報のみならず、関連する広範囲な電力系統に関する情報を的確に把握することが可能で、安全性および作業効率の向上を図ることができる電力系統監視制御装置及び方法並びに電力系統監視制御用プログラムを提供することができる。
【図面の簡単な説明】
【図１】本発明の第１の実施形態の構成を示す機能ブロック図。
【図２】本発明の第１の実施形態に係る電力系統監視制御装置のデータベースの構成を示す模式図
【図３】本発明の第１の実施形態の処理の一例を示すフローチャート。
【図４】本発明の第２の実施形態の構成を示す機能ブロック図。
【図５】本発明の第３の実施形態の構成を示す機能ブロック図。
【図６】本発明の他の実施形態の構成を示す機能ブロック図。
【図７】従来の電力系統監視制御装置の構成の一例を示す機能ブロック図。
【符号の説明】
１…電力系統監視制御部
２…携帯端末
３…他携帯端末
１０…データベース
１０ａ…設備データベース
１０ｂ…地図データベース
１１…データベース加工手段
１２…監視手段
１３…表示手段
１４…制御手段
１５…制御内容入力手段
１６…情報検索抽出手段
１７…キー情報入力手段
１８…監視情報転送手段
１９…制御情報受信手段
２０…端末データベース
２１…端末データベース加工手段
２１ａ…設備データベース
２１ｂ…地域データベース
２２…端末データベース転送手段
２３…監視情報端末受信手段
２４…端末監視手段
２５…端末監視表示手段
２６…制御情報端末転送手段
２７…端末制御手段
２８…端末制御内容入力手段
３１…他端末転送手段
３２…他端末情報受信手段
３３…他端末情報データベース
３４…他端末監視手段
５０…模擬情報検索抽出手段
５１…模擬試験用キー情報入力手段
５２…端末模擬データベース
５３…端末模擬データベース加工手段
５４…監視情報端末模擬受信手段
５５…端末模擬監視手段
５６…端末模擬表示手段
５７…制御情報端末模擬転送手段
５８…端末模擬制御手段
５９…端末模擬制御内容入力手段
６０…機能活殺手段
Ｘ、Ｚ…開閉器
Ｙ…遮断器
【図１】
2004357369.tif 000003
【図２】
2004357369.tif 000004
【図３】
2004357369.tif 000005
【図４】
2004357369.tif 000006
【図５】
2004357369.tif 000007
【図６】
2004357369.tif 000008
【図７】
2004357369.tif 000009